(57)【特許請求の範囲】
【請求項１】
釣銭用貨幣を出金するための貨幣取引装置であって、
ばらの貨幣と、金種毎に所定数の貨幣をまとめた包装貨幣とを収納する収納手段と、
出金する金種および出金額を特定可能な情報を受け付ける受付手段と、
出金額に端数がある場合に当該端数を切り捨てるか否かを判定する判定手段と、
前記判定手段によって前記端数を切り捨てないと判定された場合には、包装貨幣およびばらの貨幣を組み合わせた釣銭用貨幣を前記収納手段から出金可能とし、前記判定手段によって前記端数を切り捨てると判定された場合には、端数を切り捨てて包装貨幣のみからなる釣銭用貨幣を前記収納手段から出金する出金手段と、
を含むことを特徴とする、貨幣取引装置。
【請求項２】
出金された釣銭用貨幣が使用されるレジスターを特定するレジスター識別情報に対応付けて、出金時に端数を切り捨てるか否かを記憶する記憶手段を備え、
前記受付手段は、前記金種および出金額を特定可能な情報に加えて、前記レジスター識別情報を受け付け可能とし、
前記判定手段は、前記受付手段が受け付けた前記レジスター識別情報に対応付けられた前記記憶手段の記憶内容に基づいて、端数を切り捨てるか否かを判定することを特徴とする、請求項１記載の貨幣取引装置。
【請求項３】
出金された釣銭用貨幣が使用されるレジスターが属するグループを特定するグループ識別情報に対応付けて、出金時に端数を切り捨てるか否かを記憶する記憶手段を備え、
前記受付手段は、前記金種および出金額を特定可能な情報に加えて、前記グループを特定可能な情報を受け付け可能とし、
前記判定手段は、前記受付手段が受け付けた情報から特定される前記グループ識別情報に対応付けられた前記記憶手段の記憶内容に基づいて、端数を切り捨てるか否かを判定することを特徴とする、請求項１記載の貨幣取引装置。
【請求項４】
操作者を特定する操作者識別情報に対応付けて、出金時に端数を切り捨てるか否かを記憶する記憶手段を備え、
前記受付手段は、前記金種および出金額を特定可能な情報に加えて、前記操作者識別情報を受け付け可能とし、
前記判定手段は、前記受付手段が受け付けた前記操作者識別情報に対応付けられた前記記憶手段の記憶内容に基づいて、端数を切り捨てるか否かを判定することを特徴とする、請求項１記載の貨幣取引装置。
【請求項５】
釣銭用貨幣を出金するための貨幣取引方法であって、
出金する金種および出金額を特定可能な情報を受け付ける受付工程と、
出金額に端数がある場合に当該端数を切り捨てるか否かを判定する判定工程と、
前記判定工程において前記端数を切り捨てないと判定された場合には、包装貨幣およびばらの貨幣を組み合わせた釣銭用貨幣を収納手段から出金可能とし、前記判定工程において前記端数を切り捨てると判定された場合には、端数を切り捨てて包装貨幣のみからなる釣銭用貨幣を前記収納手段から出金する出金工程と、
を含むことを特徴とする、貨幣取引方法。
【発明の詳細な説明】
【技術分野】
【０００１】
この発明は、店舗等で釣銭として準備しておく釣銭用貨幣を出金するための貨幣取引装置および貨幣取引方法に関する。
【背景技術】
【０００２】
貨幣取引装置として、特許文献１では、硬貨入出金装置が提案されている。特許文献１の硬貨入出金装置では、その内部に、硬貨収納繰出部が金種毎に設けられている。硬貨収納繰出部には、対応する金種の硬貨が収納されている。硬貨入出金装置における硬貨の出金処理の際、対象となる金種の硬貨収納繰出部から必要な数の硬貨が繰り出されて、硬貨入出金装置内の取出箱に送られ、取出箱内において金種別に収容される。この取出箱を硬貨入出金装置から取り出すことによって、出金された硬貨を受け取ることができる。
【先行技術文献】
【特許文献】
【０００３】
【特許文献１】特開２０１０−１５２８２３号公報
【発明の概要】
【発明が解決しようとする課題】
【０００４】
貨幣取引装置では、各金種の貨幣が、ばらの状態だけでなく、所定数毎にまとめて包装された状態（包装貨幣）で収納されることがある。
たとえば、ユーザが、所望の出金額分の貨幣を貨幣取引装置から出金したい場合がある。そして、ユーザが、ばらの状態でなく、まとまって包装された状態だけで貨幣が出金されることを望む場合には、ユーザ自身が、端数（ばらの貨幣）が生じないような出金額を予め計算しておかねばならず、煩わしい。
【０００５】
また、出金額によっては、まとまって包装された貨幣とばらの貨幣との組み合わせが出金されることもあり得る。この場合に、ユーザの好みに応じて、当該組み合せが出金されたり、まとまって包装された貨幣だけが出金されたりするように（この場合、ばらの貨幣分の端数が出金額から切り捨てられる）、貨幣の出金パターンを自由に設定できると、ユーザフレンドリーであって使い勝手がよい。
【０００６】
この発明は、かかる背景のもとでなされたもので、出金に関する使い勝手を向上することができる貨幣取引装置および貨幣取引方法を提供することを目的とする。
【課題を解決するための手段】
【０００７】
請求項１記載の発明は、釣銭用貨幣を出金するための貨幣取引装置であって、ばらの貨幣と、金種毎に所定数の貨幣をまとめた包装貨幣とを収納する収納手段と、出金する金種および出金額を特定可能な情報を受け付ける受付手段と、出金額に端数がある場合に当該端数を切り捨てるか否かを判定する判定手段と、前記判定手段によって前記端数を切り捨てないと判定された場合には、包装貨幣およびばらの貨幣を組み合わせた釣銭用貨幣を前記収納手段から出金可能とし、前記判定手段によって前記端数を切り捨てると判定された場合には、端数を切り捨てて包装貨幣のみからなる釣銭用貨幣を前記収納手段から出金する出金手段と、を含むことを特徴とする、貨幣取引装置である。
【０００８】
請求項２記載の発明は、出金された釣銭用貨幣が使用されるレジスターを特定するレジスター識別情報に対応付けて、出金時に端数を切り捨てるか否かを記憶する記憶手段を備え、前記受付手段は、前記金種および出金額を特定可能な情報に加えて、前記レジスター識別情報を受け付け可能とし、前記判定手段は、前記受付手段が受け付けた前記レジスター識別情報に対応付けられた前記記憶手段の記憶内容に基づいて、端数を切り捨てるか否かを判定することを特徴とする、請求項１記載の貨幣取引装置である。
【０００９】
請求項３記載の発明は、出金された釣銭用貨幣が使用されるレジスターが属するグループを特定するグループ識別情報に対応付けて、出金時に端数を切り捨てるか否かを記憶する記憶手段を備え、前記受付手段は、前記金種および出金額を特定可能な情報に加えて、前記グループを特定可能な情報を受け付け可能とし、前記判定手段は、前記受付手段が受け付けた情報から特定される前記グループ識別情報に対応付けられた前記記憶手段の記憶内容に基づいて、端数を切り捨てるか否かを判定することを特徴とする、請求項１記載の貨幣取引装置である。
【００１０】
請求項４記載の発明は、操作者を特定する操作者識別情報に対応付けて、出金時に端数を切り捨てるか否かを記憶する記憶手段を備え、前記受付手段は、前記金種および出金額を特定可能な情報に加えて、前記操作者識別情報を受け付け可能とし、前記判定手段は、前記受付手段が受け付けた前記操作者識別情報に対応付けられた前記記憶手段の記憶内容に基づいて、端数を切り捨てるか否かを判定することを特徴とする、請求項１記載の貨幣取引装置である。
【００１１】
請求項５記載の発明は、釣銭用貨幣を出金するための貨幣取引方法であって、出金する金種および出金額を特定可能な情報を受け付ける受付工程と、出金額に端数がある場合に当該端数を切り捨てるか否かを判定する判定工程と、前記判定工程において前記端数を切り捨てないと判定された場合には、包装貨幣およびばらの貨幣を組み合わせた釣銭用貨幣を収納手段から出金可能とし、前記判定工程において前記端数を切り捨てると判定された場合には、端数を切り捨てて包装貨幣のみからなる釣銭用貨幣を前記収納手段から出金する出金工程と、を含むことを特徴とする、貨幣取引方法である。
【発明の効果】
【００１２】
請求項１記載の発明によれば、ユーザは、出金する金種および出金額を特定可能な情報を受付手段に受け付けさせておけば、判定手段が、出金額に端数があるか否か、つまり、必要な包装貨幣の数と、端数分のばらの貨幣の数とを算出してくれるので、ユーザ自身がこれらの数を算出せずに済む。さらに、判定手段の判定結果に応じた所望の出金パターン（包装貨幣およびばらの貨幣を組み合わせた釣銭用貨幣を出金するパターンか、端数を切り捨てて包装貨幣のみからなる釣銭用貨幣を出金するパターン）で、出金手段によって貨幣取引装置から釣銭用貨幣を出金してもらうことができる。つまり、この貨幣取引装置では、出金に関する使い勝手を向上することができる。
【００１３】
請求項２記載の発明によれば、レジスター識別情報を受付手段に受け付けさせれば、当該レジスター識別情報に対応付けて記憶手段に記憶された記憶内容（端数を切り捨てるか否か）に基づく判定手段の判定結果に応じて、当該レジスター識別情報を有するレジスター用の出金パターンで、貨幣取引装置から釣銭用貨幣を出金してもらうことができる。
請求項３記載の発明によれば、レジスターが属するグループを特定可能な情報を受付手段に受け付けさせれば、当該情報から特定されるグループ識別情報に対応付けて記憶手段に記憶された記憶内容（端数を切り捨てるか否か）に基づく判定手段の判定結果に応じて、当該グループ用の出金パターンで、貨幣取引装置から釣銭用貨幣を出金してもらうことができる。
【００１４】
請求項４記載の発明によれば、操作者識別情報を受付手段に受け付けさせれば、当該操作者識別情報に対応付けて記憶手段に記憶された記憶内容（端数を切り捨てるか否か）に基づく判定手段の判定結果に応じて、当該操作者用の出金パターンで、貨幣取引装置から釣銭用貨幣を出金してもらうことができる。
請求項５記載の発明によれば、判定工程での判定結果に応じた所望の出金パターン（包装貨幣およびばらの貨幣を組み合わせた釣銭用貨幣を出金するパターンか、端数を切り捨てて包装貨幣のみからなる釣銭用貨幣を出金するパターン）で、釣銭用貨幣を出金することができるので、出金に関する使い勝手を向上することができる。
【図面の簡単な説明】
【００１５】
【図１】図１は、この発明の一実施形態に係る貨幣取引装置１の運用手順を示す図である。
【図２】図２は、貨幣取引装置１の外観を示す斜視図である。
【図３】図３は、貨幣取引装置１の制御回路ブロック図であり、この発明の特徴と関連する部分のみを示すブロック図である。
【図４】図４は、貨幣取引装置１において行われる出金処理の一例を示すフローチャートである。
【図５】図５は、図４の出金処理をさらに詳しく説明するためのフローチャートである。
【図６】図６は、貨幣取引装置１における出金処理の第１例を示す模式図である。
【図７】図７は、貨幣取引装置１における出金処理の第２例を示す模式図である。
【図８】図８は、貨幣取引装置１における出金処理の第３例を示す模式図である。
【図９】図９は、貨幣取引装置１における出金処理の第４例を示す模式図である。
【図１０】図１０は、貨幣取引装置１における出金処理の第５例を示す模式図である。
【図１１】図１１は、貨幣取引装置１における出金処理の第６例を示す模式図である。
【図１２】図１２は、貨幣取引装置１において行われる入金処理の一例を示すフローチャートである。
【図１３】図１３は、貨幣取引装置１における売上金回収に係る第１処理を示すフローチャートである。
【図１４】図１４は、貨幣取引装置１における売上金回収に係る第２処理を示すフローチャートである。
【図１５】図１５は、貨幣取引装置１における売上金回収に係る第３処理を示すフローチャートである。
【発明を実施するための形態】
【００１６】
以下には、図面を参照して、この発明の実施形態について具体的に説明する。
図１は、この発明の一実施形態に係る貨幣取引装置１の運用手順を示す図である。
図１に示す貨幣取引装置１は、一つの小売店舗（スーパー等）やショッピンセンター（複数の小売店舗を含む）の事務所（バックヤード）などに設置されている。貨幣取引装置１は、店舗等に備えられたレジスター（ＰＯＳ）において釣銭として準備しておく釣銭用貨幣を適当なタイミングに出金することができる。また、貨幣取引装置１は、店舗における売上金を回収することもできる。そのため、貨幣取引装置１は、売上金入出金機とも呼ばれる。
【００１７】
貨幣取引装置１は、図１に表れているものとして、紙幣処理部２と、ばら硬貨処理部３と、包装硬貨処理部４と、リジェクト部５と、記憶部６（記憶手段）とを主に含んでいる。
ここで、ばら硬貨処理部３および包装硬貨処理部４に関連して、硬貨には、ばらの硬貨（以下では、「ばら硬貨」ということがある）と、金種毎に所定数（たとえば５０枚）毎にまとめられて紙等で包装された硬貨（以下では、「包装硬貨」ということがある）とがある。
【００１８】
紙幣処理部２は、紙幣（この実施形態では、ばらの紙幣）を収納するものであって、リサイクル部７（収納手段）と、回収カセット８と、紙幣搬送部９とを含んでいる。
リサイクル部７には、釣銭準備金の紙幣と、売上金に含まれる紙幣とを混合状態で収納するとともに、収納された紙幣を出金することができる。ここでの「リサイクル」とは、元々売上金であった紙幣を釣銭用紙幣にリサイクルすることを意味している。リサイクル部７は、１万円札を収納するためのリサイクルカセット１０と、五千円札を収納するためのリサイクルカセット１１と、千円札を収納するためのリサイクルカセット１２とを含んでいる。リサイクルカセット１０〜１２のそれぞれでは、収納できる紙幣の枚数に上限がある。
【００１９】
回収カセット８は、リサイクルカセット１０〜１２から回収された紙幣を収納することができる。なお、回収カセット８内では、紙幣が金種毎に分けて収納されてもよいし、混合状態で収納されてもよい。
紙幣搬送部９は、リサイクルカセット１０〜１２から紙幣を回収して回収カセット８まで搬送する機能を有している。
【００２０】
ばら硬貨処理部３は、ばら硬貨を収納するものであって、リサイクル部１３（収納手段）と、回収カセット１４と、硬貨搬送部１５とを含んでいる。
リサイクル部１３には、釣銭準備金のばら硬貨と、売上金に含まれるばら硬貨とを混合状態で収納するとともに、収納された硬貨を出金することができる。ここでの「リサイクル」とは、リサイクル部７の場合と同様に、元々売上金であった硬貨を釣銭用硬貨にリサイクルすることを意味している。リサイクル部１３は、５００円のばら硬貨を収納するためのリサイクルカセット１６と、１００円のばら硬貨を収納するためのリサイクルカセット１７と、５０円のばら硬貨を収納するためのリサイクルカセット１８と、１０円のばら硬貨を収納するためのリサイクルカセット１９と、５円のばら硬貨を収納するためのリサイクルカセット２０と、１円のばら硬貨を収納するためのリサイクルカセット２１とを含んでいる。リサイクルカセット１６〜２１のそれぞれでは、収納できるばら硬貨の枚数に上限がある。
【００２１】
回収カセット１４は、リサイクルカセット１６〜２１から回収されたばら硬貨を収納することができる。なお、回収カセット１４内では、ばら硬貨が金種毎に分けて収納されてもよいし、混合状態で収納されてもよい。
硬貨搬送部１５は、リサイクルカセット１６〜２１からばら硬貨を回収して回収カセット１４まで搬送する機能を有している。
【００２２】
包装硬貨処理部４は、釣銭用の包装硬貨（所定枚数毎の硬貨のまとまり）を収納するものであって、出金部２２（収納手段）を含んでいる。出金部２２は、５００円硬貨の包装硬貨を収納するための出金カセット２３と、１００円硬貨の包装硬貨を収納するための出金カセット２４と、５０円硬貨の包装硬貨を収納するための出金カセット２５と、１０円硬貨の包装硬貨を収納するための出金カセット２６と、５円硬貨の包装硬貨を収納するための出金カセット２７と、１円硬貨の包装硬貨を収納するための出金カセット２８とを含んでいる。出金カセット２３〜２８のそれぞれには、対応する金種の包装硬貨を複数本収納するとともに、各出金カセットから包装硬貨を出金することができる。
【００２３】
以上のように、リサイクル部７，１３と出金部２２とのまとまりは、ばらの貨幣（紙幣および硬貨の両方）と包装硬貨とを収納するための収納庫１００（収納手段）を構成している。
リジェクト部５には、リサイクル部７のリサイクルカセット１０〜１２や回収カセット８に収納されていた損傷のある紙幣を収納することができる。リジェクト部５に収納された紙幣は、別途交換されたり、返却されたりする。
【００２４】
記憶部６には、必要な情報が記憶されている。記憶部６に記憶される内容については、追って詳説する。
次に、図１の（１），（２），（３），（４）を参照しながら、貨幣取引装置１の運用について説明する。
（１）まず、店舗の開店前（朝一の時間帯）等のタイミングに、警備会社３０の警備員が釣銭準備金（たとえば、１日に店舗全体で必要な金種毎の釣銭）を持って店舗にやってくる。警備員が持参した釣銭準備金は、貨幣取引装置１に入金され、金種毎に分けて（硬貨の場合は、ばら硬貨と包装硬貨とに分けて）、対応するリサイクルカセット１０〜１２，１６〜２１や、出金カセット２３〜２８に収納される。
（２）次いで、店舗内の各レジスター（以下では、「レジ」と略して呼ぶ）Ｒの担当者（レジ係）が、事務所に行って、担当するレジＲに必要な釣銭用貨幣を貨幣取引装置１から出金してもらい、釣銭用貨幣をレジＲにセットする。ここで、図１には、レジ１、レジ２、レジ３…という複数のレジＲが図示されているが、末尾の数字は、「レジＮｏ」と呼ばれ、この実施形態では、各レジＲを特定するレジスター識別情報である。また、この実施形態では、一つの店舗に複数台のレジＲが存在する場合に限らず、たとえば、ある店舗にレジ１があって別の店舗にレジ２があるような場合も想定している。
【００２５】
また、営業中に釣銭が不足してくると、その都度、レジＲの担当者が、事務所に行って釣銭用貨幣を貨幣取引装置１から出金してもらい、釣銭用貨幣をレジＲに補充する。出金された釣銭用貨幣は、当該レジＲで使用される。
（３）そして、閉店後等のタイミングに、レジＲの担当者は、自分が担当するレジＲ内の貨幣（全額とは限らない）を売上金として事務所に持って行き、貨幣取引装置１に入金する。入金された売上金は、金種毎に分けて、対応するリサイクルカセット１０〜１２，１６〜２１に収納される。なお、包装硬貨は、売上金として貨幣取引装置１に入金されないものとする。そのため、この実施形態の包装硬貨処理部４は、包装硬貨を出金することができるものの、包装硬貨を受け取ることができない。
【００２６】
閉店前の営業時間中に売上金が貨幣取引装置１に入金された場合には、入金されて対応する金種のリサイクルカセット１０〜１２，１６〜２１に収納された金種毎の売上金は、釣銭用貨幣として用いられる。また、翌日に警備会社３０から釣銭準備金の入金がない場合等には、リサイクルカセット１０〜１２，１６〜２１に収納された金種毎の売上金は、当該翌日に釣銭用貨幣として用いられる。
（４）そして、所定のタイミング（毎日の閉店後や、数日に１回の閉店後等）に、警備会社３０の警備員が店舗にやってくる。このとき、店舗における貨幣取引装置１の担当者（貨幣取引装置１の管理人）が、紙幣搬送部９を駆動させてリサイクルカセット１０〜１２の紙幣（全額とは限らない）を回収カセット８に移し替え、硬貨搬送部１５を駆動させてリサイクルカセット１６〜２１の硬貨（全額とは限らない）を回収カセット１４に移し替える。回収カセット８および１４は貨幣取引装置１から引き出され、各回収カセットの中身（貨幣）が警備員に受け取られて警備会社３０に回収される。
【００２７】
次に、貨幣取引装置１の構成について、さらに詳しく説明する。
図２は、貨幣取引装置１の外観を示す斜視図である。
図２を参照して、貨幣取引装置１は、全体が略ボックス状をなしている。貨幣取引装置１において、前述した紙幣処理部２、ばら硬貨処理部３および包装硬貨処理部４は、正面側から見て、左側からこの順番で並んでいる。紙幣処理部２、ばら硬貨処理部３および包装硬貨処理部４のそれぞれは、左右にやや薄くて奥行きのある縦長ボックス形状である。
【００２８】
紙幣処理部２の前面上部には、入金する紙幣が投入されたり、出金される紙幣を受け取ったりするための入出金口３１と、入出金口３１を開閉するシャッター３２とが設けられている。紙幣処理部２においてシャッター３２の下側には、前述したリジェクト部５が配置されている。紙幣処理部２の前面下部には、扉３３が設けられている。扉３３を開くと、前述した回収カセット８を引き出すことができる。
【００２９】
ばら硬貨処理部３の上面では、後寄りの部分が階段状に高くなっており、当該部分の前側領域には、ばら硬貨を投入するための入金口３４と、入金口３４を開閉するシャッター３５とが設けられている。ばら硬貨処理部３の前面下部には、開口部３６と、開口部３６を開閉する扉３７が設けられている。扉３７を開くと、開口部３６が開放される。開放された開口部３６から、出金されたばら硬貨を受け取ったり、前述した回収カセット１４を引き出したりすることができる。なお、ばら硬貨は、複数金種が混在した状態でまとめて出金されてもよいし、金種毎に順番に出金されてもよい。
【００３０】
包装硬貨処理部４の前面上部には、出金される包装硬貨を受け取るための出金口３８と、出金口３８を開閉するシャッター３９とが設けられている。複数種類の金種の包装硬貨が出金される場合には、これらの包装硬貨は、混在した状態でまとめて出金される。
また、貨幣取引装置１は、紙幣処理部２の上面に載置されたターミナル４０と、ばら硬貨処理部３の上面に載置されたジャーナルプリンタ４１とを含んでいる。
【００３１】
ターミナル４０は、紙幣処理部２、ばら硬貨処理部３および包装硬貨処理部４のそれぞれの動作を統括的に制御するものである。ターミナル４０は、図２に表れているものとして、モニター等で構成された表示部４２と、キーボード等で構成された操作部４３（受付手段）とを含んでいる。表示部４２には、必要な情報が表示される。ユーザ（前述した担当者）は、操作部４３を操作することによって貨幣取引装置１に所望の運転を実行させることができる。表示部４２におけるたとえば右端には、カードリーダ４４（受付手段）が設けられている。ユーザが貨幣取引装置１にアクセスしようとする場合、カードリーダ４４は、ユーザが所有するＩＤカードを読み取る。これによって、ユーザの本人確認が実行され、予め許可されたユーザのみがアクセス可能となる。ジャーナルプリンタ４１は、入金内容や出金内容等を印字したレシートを発行することができる。また、ターミナル４０には、前述した記憶部６が含まれている。
【００３２】
図３は、貨幣取引装置１の制御回路ブロック図であり、この発明の特徴と関連する部分のみを示すブロック図である。
図３を参照して、貨幣取引装置１は、制御部５０（受付手段、判定手段、出金手段）を備えている。制御部５０は、前述したターミナル４０に含まれる。制御部５０は、ＣＰＵおよびそのプログラム等を記憶したＲＯＭ、ＲＡＭ等で構成されており、プログラムに従って演算処理等の所定の処理を実行する。
【００３３】
貨幣取引装置１では、制御部５０に対して、前述した表示部４２、操作部４３、記憶部６、カードリーダ４４、ジャーナルプリンタ４１、紙幣処理部２、ばら硬貨処理部３および包装硬貨処理部４のそれぞれと、送受信部５１とが電気的に接続されている。
制御部５０は、送受信部５１を介して、警備会社３０（図１参照）のコンピュータ５２や、貨幣取引装置１の上位機器（店舗の本部コンピュータ等）５３や、前述した各レジＲと通信することができる。
【００３４】
また、紙幣処理部２は、入出金口３１から入金された紙幣を金種毎にリサイクルカセット１０〜１２に振り分けたり、リサイクルカセット１０〜１２から紙幣を繰り出して入出金口３１に出金したりする入出金機構６１（出金手段）をさらに含んでいる。ばら硬貨処理部３は、入金口３４から入金されたばら硬貨を金種毎にリサイクルカセット１６〜２１に振り分けたり、リサイクルカセット１６〜２１から硬貨を繰り出して開口部３６に搬送（出金）したりする入出金機構６２（出金手段）をさらに含んでいる。包装硬貨処理部４は、出金カセット２３〜２８から包装硬貨を取り出して出金口３８に出金する出金機構６３（出金手段）をさらに含んでいる。入出金機構６１、入出金機構６２および出金機構６３のそれぞれの動作は、制御部５０によって制御される。
【００３５】
次に、貨幣取引装置１において実行される処理の内容について説明する。まずは、釣銭用貨幣の出金処理について説明する。図４は、貨幣取引装置１において行われる出金処理の一例を示すフローチャートである。
図４を参照して、釣銭用貨幣の出金を受けたい担当者は、自分が担当するレジＲから、必要な情報が印字されたレシートを発行してもらい、このレシートを持って事務所の貨幣取引装置１まで行く。そして、担当者は、貨幣取引装置１において操作部４３を操作して、釣銭用貨幣の出金を受ける日（「釣銭日」ということにする）を選択する。実際に選択された釣銭日は、釣銭用貨幣の出金を受ける当日になる。
【００３６】
制御部５０は、釣銭日の選択があると（ステップＳ１）、レジＮｏを入力するための画面（レジＮｏ入力画面）を表示部４２に表示する（ステップＳ２）。表示されたレジＮｏ入力画面には、レジＮｏの入力を促す旨の記載が表示されている。そして、担当者が操作部４３を操作して、自分が担当するレジＲのレジＮｏを入力する（ステップＳ３）。担当者が入力したレジＮｏは、レジＮｏ入力画面に表示される。
【００３７】
制御部５０は、担当者による操作部４３の操作によって入力されたレジＮｏを受け付けたことに応じて、表示部４２において、レジＮｏ入力画面の代わりに、出金予定明細画面を表示する（ステップＳ４）。出金予定明細画面が表示されると、担当者は、操作部４３を操作して、出金予定明細を入力する（ステップＳ５）。ここでの「出金予定明細」とは、今回入力したレジＮｏのレジＲにおいて、釣銭として本来常備しておくべき金種および各金種の貨幣の枚数のことであり、担当者が持参したレシートに記録されている。たとえば、レジＲにおいて、２枚の５千円札と、１０枚の千円札と、５枚の５００円硬貨と、１２０枚の１００円硬貨と、３０枚の５０円硬貨と、１２０枚の１０円硬貨と、７０枚の５円硬貨と、１４０枚の１円硬貨とが、釣銭として常備しておくべき金種および枚数であれば、これらの金種および枚数が出金予定明細である。つまり、担当者による操作部４３の操作によって入力される出金予定明細とは、これから出金してもらおうとする金種および出金額を特定するための（特定可能な）情報である。ただし、最終的に出金される金種および出金額は、後述するように変動する可能性があるので、当該出金予定明細とは、これから出金してもらおうとする金種および出金額についての現時点での仮の内容である。なお、出金額とは、金額情報そのものを指している以外に、所定金種についての当該出金額分の貨幣の枚数といった枚数情報を指している場合もある。
【００３８】
ここで、硬貨の枚数については、全てばら硬貨であるとして硬貨の全体枚数をあらわすこともできるし（たとえば、ばら硬貨７０枚）、包装硬貨の本数とばら硬貨の枚数との組み合せで硬貨の全体枚数をあらわすこともできる（たとえば、包装硬貨１本とばら硬貨２０枚）。
担当者が出金予定明細を入力し（ステップＳ５）、入力が完了した旨の指示（表示部４２の画面の切替指示も兼ねる）を入力すると（ステップＳ６）、制御部５０は、操作部４３において当該出金予定明細を受け付けたことになり、表示部４２に、在高明細画面を表示する（ステップＳ７）。ここでの「在高」とは、今回入力したレジＮｏのレジＲにおける金種毎の貨幣の残高（現時点での残り枚数）であり、担当者が持参したレシートに記録されている。
【００３９】
担当者が操作部４３を操作することによって、今回入力したレジＮｏのレジＲにおける金種毎の在高を入力すると（ステップＳ８でＹＥＳ）、制御部５０は、当該在高を受け付ける。そして、担当者による表示部４２の画面の切替指示を受けてから（ステップＳ９）、表示部４２に、在高入力時用の最終出金明細画面を表示する（ステップＳ１０）。ここでの「最終出金明細」とは、金種毎に決定された最終的な出金額（釣銭用貨幣の補充数）であり、釣銭用貨幣として出金する金種および出金額（出金枚数）についての最終的に決定した内容である。
【００４０】
詳しくは、制御部５０が、金種毎に、前述した出金予定明細（本来常備しておくべき枚数）から在高（現時点での残り枚数）を差し引くことで最終出金明細を算出する。たとえば、１０円硬貨について、出金予定明細が１２０枚であったとして、在高が３０枚であったならば、最終出金明細は、９０枚（＝１２０−３０）となる。このように、在高とは、これから出金してもらおうとする金種および出金額を特定するための（特定可能な）情報である。そして、在高入力時用の最終出金明細画面には、金種毎の最終出金明細が表示される。この場合、担当者自身が最終出金明細を計算しなくて済むので、便利である。
【００４１】
一方、制御部５０は、在高の入力がないままの場合には（ステップＳ８でＮＯ）、担当者による表示部４２の画面の切替指示を受けてから（ステップＳ１１）、表示部４２に、在高非入力時用の最終出金明細画面を表示する（ステップＳ１２）。在高非入力時用の最終出金明細画面における最終出金明細は、当初の出金予定明細と同じ内容である。つまり、この場合の担当者は、出金予定明細に沿った釣銭用貨幣の出金を望んでいることになる。
【００４２】
このように最終出金明細画面では、在高を考慮したもの（在高入力時用）と、在高を考慮しないもの（在高非入力時用）とで違いがある。
在高入力時用または在高非入力時用の最終出金明細画面の表示後、担当者は、最終出金明細の内容を確認した上で、承認するか、承認せずに修正するかを操作部４３によって入力する（ステップＳ１３）。
【００４３】
承認する旨の入力があった場合には（ステップＳ１４でＹＥＳ）、担当者は、出金を実行させるために操作部４３をさらに操作する。詳しくは、担当者は、操作部４３における完了ボタン（図示せず）を押下する（ステップＳ１５）。制御部５０は、この完了押下を受け付けて、入出金機構６１、入出金機構６２および出金機構６３（図３参照）のいずれかを駆動させ、最終出金明細に沿った釣銭出金動作を開始する（ステップＳ１６）。これにより、貨幣取引装置１からは、最終出金明細に沿って、金種毎の出金額（出金枚数）の貨幣が出金される。
【００４４】
一方、最終出金明細の内容を承認しないで修正する旨の（担当者による）入力があった場合（ステップＳ１４でＮＯ）には、制御部５０は、担当者による画面切替指示に応じて（ステップＳ１７）で、表示部４２に出金予定明細画面を再表示し（ステップＳ４）、ステップＳ５以降の処理を繰り返す。
図５は、図４の出金処理をさらに詳しく説明するためのフローチャートである。
【００４５】
次に、図５を参照して、貨幣取引装置１における出金処理をさらに詳しく説明する。図５では、図４で説明した出金処理のうち、特に重要な処理を詳しく示している一方で、それ以外の処理の図示を省略している。また、図５では、説明の便宜上、硬貨だけを出金する場合を想定している。
ステップＳ３と同様にレジＮｏが入力されて（ステップＳ２１）、ステップＳ５と同様に出金予定明細が入力されると（ステップＳ２２）、制御部５０は、ステップＳ８と同様に、在高入力があるか否かを確認する（ステップＳ２３）。
【００４６】
在高入力があれば（ステップＳ２３でＹＥＳ）、制御部５０は、先程入力されたレジＮｏのレジＲについて、端数切捨設定があるか否かを確認する（ステップＳ２４）。
端数切捨設定に関して、制御部５０は、前述したように入力された出金予定明細および在高に基づいて最終出金明細を算出するのだが、在高が入力された場合には、金種毎の最終出金明細では包装硬貨（棒金）が優先して含まれるように算出する。たとえば、１０円硬貨についての最終出金明細が１２０枚であれば、制御部５０は、（５０枚綴りの）包装硬貨２本と２０枚のばら硬貨との組み合わせによって１２０枚の最終出金明細が構成されるように、包装硬貨とばら硬貨との組み合わせを算出する。つまり、制御部５０は、入力された出金予定明細および在高から、出金する金種および出金額（金種毎の最終出金明細）を受け付ける（実際には算出する）とともに、当該金種および出金額から、必要な包装硬貨の数と、端数分のばら硬貨の数とを算出する。
【００４７】
ここで、端数切捨設定ありの場合には、出金額を構成する硬貨のうち、ばら硬貨は切り捨てられて、包装硬貨だけが釣銭用硬貨として出金される。一方、端数切捨設定なしの場合には、ばら硬貨が切り捨てられることなく、包装硬貨とばら硬貨との組み合わせ（出金額を構成する全ての硬貨）が釣銭用硬貨として出金される。
端数切捨設定がありかなしかという設定内容（換言すれば、出金時に端数を切り捨てるか否かという設定内容）は、各レジＲのレジＮｏに対応付けて、前述した記憶部６において予め記憶されている（図１参照）。つまり、記憶部６では、この貨幣取引装置１から釣銭用貨幣を出金する店舗等のレジＲ毎に、端数切捨設定がありかなしかという設定内容が登録されている。また、担当者による操作部４３の操作によって、端数切捨設定をありかなしのいずれかに変更することができる。操作部４３の操作に応じて、制御部５０が、記憶部６において該当するレジＮｏの端数切捨設定をありかなしのいずれかに変更する。つまり、制御部５０は、操作部４３の操作に応じて、出金額に端数（ばら硬貨）がある場合に当該端数を切り捨てるか否かのいずれかを、レジＲ毎に切り替えて設定して、記憶部６に登録する。当該端数を切り捨てる設定が、「端数切捨設定あり」のことであり、当該端数を切り捨てない設定が、「端数切捨設定なし」のことである。
【００４８】
つまり、制御部５０は、必要な包装硬貨の数と端数分のばら硬貨の数とについての算出結果に基づくとともに、該当するレジＮｏに対応するレジＲについて端数切捨設定がありかなしかという設定内容に基づいて、端数切捨設定ありの場合には（ステップＳ２４でＹＥＳ）、出金機構６３を駆動することによって、包装硬貨だけで構成された釣銭用貨幣を出金部２２（収納庫１００）から出金する（ステップＳ２５）。詳しくは、制御部５０は、各金種について、最終出金明細分の枚数の硬貨を、包装硬貨（棒金）だけで構成して出金し、前述した端数のばら硬貨は切り捨てる（ステップＳ２５）。そのため、厳密には、最終出金明細から端数のばら硬貨を差し引いた額（枚数）の硬貨が出金される。このように包装硬貨（５０枚の棒金）単位で出金して端数のばら硬貨は切り捨てるといった出金パターンを、出金パターン［ａ］ということにする。
【００４９】
一方、制御部５０は、当該算出結果と、該当するレジＮｏに対応するレジＲについて端数切捨設定がありかなしかという設定内容とに基づいて、端数切捨設定なしの場合には（ステップＳ２４でＮＯ）、入出金機構６２および出金機構６３を駆動することによって、包装硬貨およびばら硬貨を組み合わせた釣銭用貨幣をリサイクル部１３および出金部２２（収納庫１００）から出金する（ステップＳ２６）。詳しくは、制御部５０は、各金種について、最終出金明細分の枚数の硬貨を、包装硬貨およびばら硬貨の組み合わせで構成して出金する（ステップＳ２６）。そのため、最終出金明細通りの額（枚数）の硬貨が出金される。このように包装硬貨（５０枚の棒金）単位で出金するとともに、端数のばら硬貨も切り捨てずに出金するといった出金パターンを、出金パターン［ｂ］ということにする。
【００５０】
このように、制御部５０は、ステップＳ２４において、出金額に端数がある場合に当該端数を切り捨てるか否かを判定する。特に、制御部５０は、ステップＳ３（Ｓ２１）で受け付けたレジＮｏに対応付けられた記憶部６の記憶内容（当該レジＮｏのレジＲについての端数切捨設定）に基づいて、端数を切り捨てるか否かを判定する。そして、制御部５０は、当該端数を切り捨てないと判定した場合には（ステップＳ２４でＮＯ）、包装硬貨およびばらの硬貨を組み合わせた釣銭用貨幣を収納庫１００から出金可能とする（ステップＳ２６）。一方、制御部５０は、当該端数を切り捨てると判定した場合には（ステップＳ２４でＹＥＳ）、当該端数を切り捨てて包装硬貨のみからなる釣銭用貨幣を収納庫１００から出金する（ステップＳ２５）。
【００５１】
端数切捨設定がありかなしのいずれであっても、最終出金明細に応じて包装硬貨を何本出金できて端数がいくつになるのか（ばら硬貨が何枚か）を、担当者自身が計算しなくても、出金予定明細および在高を入力しておけば、制御部５０が自動計算してくれるので便利であり、処理時間の短縮化を図ることができる。
在高入力がない場合には（ステップＳ２３でＮＯ）、制御部５０は、金種毎に、出金予定明細で指定された本数（包装硬貨の場合）や枚数（ばら硬貨の場合）の硬貨をそのまま出金する（ステップＳ２７）。このように出金予定明細通りに硬貨を出金する出金パターンを、出金パターン［ｃ］ということにする。
【００５２】
なお、ステップＳ２５、Ｓ２６およびＳ２７のそれぞれは、前述したステップＳ１６に相当する処理である。
図６〜図１１は、貨幣取引装置１における出金処理の第１例〜第６例を示す模式図である。
次に、前述した出金パターン［ａ］、［ｂ］、［ｃ］について、図６〜図１１を参照しながら、具体例をあげて説明する。なお、図６〜図１１では、説明の便宜上、所定の一金種の硬貨（５００円、１００円、５０円、１０円、５円、１円のいずれかの硬貨）に着目して説明しているが、複数金種の硬貨が出金される場合には、図６〜図１１の処理は、金種毎に行われる。
【００５３】
ここで、図６〜図８では、担当者が在高を入力している場合（前述したステップＳ８およびＳ２３のそれぞれにおいてＹＥＳ）を想定しているが、図９〜図１１では、担当者が在高を入力していない場合（前述したステップＳ８およびＳ２３のそれぞれにおいてＮＯ）を想定している。
まず、第１例について説明する。図６を左側から参照して、担当者が操作部４３を操作することによって、表示部４２の出金予定明細画面には、ばら硬貨が３９０枚という出金予定明細が表示されたとする（前述したステップＳ４およびステップＳ２２）。その後、担当者が操作部４３を操作することによって、同一金種についての在高についてばら硬貨が２０１枚であるという内容の在高明細画面が表示部４２に表示されたとする（前述したステップＳ７）。
【００５４】
すると、制御部５０による演算によって、同一金種についての出金対象（最終出金明細）が１８９枚（＝３９０−２０１）であって、５０枚綴りの包装硬貨３本と３９枚の端数分のばら硬貨とを組み合わせることで当該出金対象を構成できるということが算出される（図６の矢印の枠内を参照）。
そして、端数切捨設定ありの場合には、出金パターン［ａ］として、３９枚のばら硬貨は切り捨てられて包装硬貨３本だけが出金されるという内容の最終出金明細画面が表示部４２に表示され（前述したステップＳ１０）、貨幣取引装置１では、出金パターン［ａ］による出金が実行される（前述したステップＳ１６およびＳ２５）。
【００５５】
一方、端数切捨設定なしの場合には、出金パターン［ｂ］として、包装硬貨３本および３９枚のばら硬貨の組み合わせが出金されるという内容の最終出金明細画面が表示部４２に表示され（前述したステップＳ１０）、貨幣取引装置１では、出金パターン［ｂ］による出金が実行される（前述したステップＳ１６およびＳ２６）。
次に、第２例について説明する。図７を左側から参照して、担当者が操作部４３を操作することによって、表示部４２の出金予定明細画面には、５０枚綴りの包装硬貨２本および２０枚のばら硬貨という出金予定明細が表示されたとする（前述したステップＳ４およびステップＳ２２）。その後、担当者が操作部４３を操作することによって、同一金種についての在高についてばら硬貨が４０枚であるという内容の在高明細画面が表示部４２に表示されたとする（前述したステップＳ７）。
【００５６】
すると、制御部５０の演算によって、同一金種についての出金対象（最終出金明細）が８０枚（＝（２×５０＋２０）−４０）であって、５０枚綴りの包装硬貨１本と３０枚の端数分のばら硬貨とを組み合わせることで当該出金対象を構成できるということが算出される（図７の矢印の枠内を参照）。
そして、端数切捨設定ありの場合には、出金パターン［ａ］として、３０枚のばら硬貨は切り捨てられて包装硬貨１本だけが出金されるという内容の最終出金明細画面が表示部４２に表示され（前述したステップＳ１０）、貨幣取引装置１では、出金パターン［ａ］による出金が実行される（前述したステップＳ１６およびＳ２５）。
【００５７】
一方、端数切捨設定なしの場合には、出金パターン［ｂ］として、包装硬貨１本および３０枚のばら硬貨の組み合わせが出金されるという内容の最終出金明細画面が表示部４２に表示され（前述したステップＳ１０）、貨幣取引装置１では、出金パターン［ｂ］による出金が実行される（前述したステップＳ１６およびＳ２６）。
次に、第３例について説明する。図８を左側から参照して、担当者が操作部４３を操作することによって、表示部４２の出金予定明細画面には、５０枚綴りの包装硬貨２本という出金予定明細が表示されたとする（前述したステップＳ４およびステップＳ２２）。その後、担当者が操作部４３を操作することによって、同一金種についての在高についてばら硬貨が４０枚であるという内容の在高明細画面が表示部４２に表示されたとする（前述したステップＳ７）。
【００５８】
すると、制御部５０の演算によって、同一金種についての出金対象（最終出金明細）が６０枚（＝２×５０−４０）であって、５０枚綴りの包装硬貨１本と１０枚の端数分のばら硬貨とを組み合わせることで当該出金対象を構成できるということが算出される（図８の矢印の枠内を参照）。
そして、端数切捨設定ありの場合には、出金パターン［ａ］として、１０枚のばら硬貨は切り捨てられて包装硬貨１本だけが出金されるという内容の最終出金明細画面が表示部４２に表示され（前述したステップＳ１０）、貨幣取引装置１では、出金パターン［ａ］による出金が実行される（前述したステップＳ１６およびＳ２５）。
【００５９】
一方、端数切捨設定なしの場合には、出金パターン［ｂ］として、包装硬貨１本および１０枚のばら硬貨の組み合わせが出金されるという内容の最終出金明細画面が表示部４２に表示され（前述したステップＳ１０）、貨幣取引装置１では、出金パターン［ｂ］による出金が実行される（前述したステップＳ１６およびＳ２６）。
このように、第１例〜第３例では、担当者が在高を入力している場合を想定しているのだが、これらの場合には、包装硬貨が優先して組み込まれるように釣銭用貨幣（最終出金明細）が定められていることがわかる。
【００６０】
次に、第４例について説明する。図９を左側から参照して、担当者が操作部４３を操作することによって、表示部４２の出金予定明細画面には、ばら硬貨３９０枚という出金予定明細が表示されたとする（前述したステップＳ４およびステップＳ２２）。その後、担当者が操作部４３を操作することなく、在高明細画面に在高の入力がなかったとする（前述したステップＳ８およびＳ２３のそれぞれにおいてＮＯ）。
【００６１】
すると、制御部５０は、同一金種についての出金対象（最終出金明細）は、出金予定明細のまま（ばら硬貨３９０枚）であると判断する（図９の矢印の枠内を参照）。この場合には、出金パターン［ｃ］として、３９０枚のばら硬貨が出金されるという内容の最終出金明細画面が表示部４２に表示され（前述したステップＳ１２）、貨幣取引装置１では、出金パターン［ｃ］による出金が実行される（前述したステップＳ１６およびＳ２７）。
【００６２】
次に、第５例について説明する。図１０を左側から参照して、担当者が操作部４３を操作することによって、表示部４２の出金予定明細画面には、包装硬貨２本およびばら硬貨２０枚という出金予定明細が表示されたとする（前述したステップＳ４およびステップＳ２２）。その後、担当者が操作部４３を操作することなく、在高明細画面に在高の入力がなかったとする（前述したステップＳ８およびＳ２３のそれぞれにおいてＮＯ）。
【００６３】
すると、制御部５０は、同一金種についての出金対象（最終出金明細）は、出金予定明細のまま（包装硬貨２本およびばら硬貨２０枚）であると判断する（図１０の矢印の枠内を参照）。この場合には、出金パターン［ｃ］として、包装硬貨２本およびばら硬貨２０枚が出金されるという内容の最終出金明細画面が表示部４２に表示され（前述したステップＳ１２）、貨幣取引装置１では、出金パターン［ｃ］による出金が実行される（前述したステップＳ１６およびＳ２７）。
【００６４】
次に、第６例について説明する。図１１を左側から参照して、担当者が操作部４３を操作することによって、表示部４２の出金予定明細画面には、包装硬貨２本という出金予定明細が表示されたとする（前述したステップＳ４およびステップＳ２２）。その後、担当者が操作部４３を操作することなく、在高明細画面に在高の入力がなかったとする（前述したステップＳ８およびＳ２３のそれぞれにおいてＮＯ）。
【００６５】
すると、制御部５０は、同一金種についての出金対象（最終出金明細）は、出金予定明細のまま（包装硬貨２本）であると判断する（図１１の矢印の枠内を参照）。この場合には、出金パターン［ｃ］として、包装硬貨２本が出金されるという内容の最終出金明細画面が表示部４２に表示され（前述したステップＳ１２）、貨幣取引装置１では、出金パターン［ｃ］による出金が実行される（前述したステップＳ１６およびＳ２７）。
【００６６】
第４例〜第６例を見れば分かるように、各金種について、予め釣銭用貨幣として出金してもらいたい出金パターンおよび出金額が決まっているならば、その内容（金種毎の枚数や、ばら硬貨か包装硬貨かの選択）を出金予定明細として貨幣取引装置１に入力しておけば、当該内容に沿って貨幣取引装置１から釣銭用貨幣が出金される。
以上のように、この貨幣取引装置１では、担当者の要望に応じて、釣銭用貨幣として、ばら硬貨だけを出金したり、包装硬貨だけを出金したり、包装硬貨とばら硬貨とを組み合わせたものを出金したりすることがレジＲ毎に応じて自動でできる。つまり、貨幣取引装置１では、レジＲ毎に、釣銭用貨幣の出金パターンが切り替えられるようになっていて、端数（ばら硬貨）の扱い方を指定することができる。
【００６７】
レジＲ内のドロア（金種別に貨幣を収納する収納トレイ）において釣銭用貨幣を管理する場合には、取り扱いの都合上、大量の硬貨は、ばら硬貨でなく、包装硬貨としてまとめられているほうがよい考えるユーザもいる。その場合には、ばら硬貨を切り捨てて、包装硬貨だけを釣銭用貨幣として出金してもらいたいという出金パターン［ａ］のニーズが存在する。さらに、包装硬貨およびばら硬貨の両方を釣銭用貨幣として持っておきたいという出金パターン［ｂ］のニーズも存在する。
【００６８】
一方、ばら硬貨だけで出金する場合には、包装硬貨の包装を解く手間を省くことができるとともに、硬貨を包装する紙の無駄を省くこともできる。また、レジＲに、釣銭機（釣銭を自動支払いする装置）が備え付けられていれば、出金されたばら硬貨を釣銭機に投入すれば、釣銭機内でばら硬貨が自動で金種別に区分されるので、この場合には、包装硬貨でなく、ばら硬貨だけを釣銭用貨幣として出金してもらいたいという出金パターン［ｃ］のニーズが存在する。
【００６９】
また、端数切捨設定のありなしが決まっているレジＲであっても、在高を入力しなければ（前述したステップＳ８およびステップＳ２３のそれぞれでＮＯ）、出金予定明細で指定した所望の出金パターン（前述した出金パターン［ａ］〜［ｃ］のいずれか）で釣銭用貨幣の出金を受けることができる（前述した第４例〜第６例）。
このように、この貨幣取引装置１であれば、レジＲ毎に出金パターンを細やかに設定できることから、制御部５０の制御によって、レジＲ毎に、その時その時に最適な出金パターン（出金パターン［ａ］〜［ｃ］のいずれか）で釣銭用貨幣が出金されるので、無駄が少ない。
【００７０】
以上のように、この貨幣取引装置１では、ユーザ（ここでは、レジＲの担当者）は、操作部４３を操作することによって、出金する金種および出金額（出金枚数）を特定可能な情報（出金予定明細や在高）を制御部５０に受け付けさせておけば、制御部５０が、出金額に端数があるか否か、つまり、必要な包装硬貨の数と、端数分のばらの硬貨の数とを算出してくれるので、ユーザ自身がこれらの数を算出せずに済む。さらに、端数切捨設定のありなしを予め記憶部６で設定しておけば、設定内容（当該設定内容に基づく制御部５０の判定結果）に応じた所望の出金パターン（端数を切り捨てて包装硬貨のみからなる釣銭用貨幣を出金するパターン［ａ］か、包装硬貨およびばらの貨幣を組み合わせた釣銭用貨幣を出金するパターン［ｂ］）で、貨幣取引装置１から釣銭用貨幣を出金してもらうことができる。つまり、この貨幣取引装置１では、出金に関する使い勝手を向上することができる。
【００７１】
特に、レジＮｏ（レジスター識別情報）を制御部５０に受け付けさせれば、当該レジＮｏに対応付けて記憶部６に記憶された記憶内容（端数を切り捨てるか否か）に基づく制御部５０の判定結果に応じて、当該レジＮｏを有するレジＲ用の出金パターンで、貨幣取引装置１から釣銭用貨幣を出金してもらうことができる。
さらに、ユーザは、操作部４３を操作すれば、記憶部６において、レジＲ毎に、出金パターン［ａ］、［ｂ］を任意に変更できるので、出金に関する使い勝手をさらに向上することができる。
【００７２】
また、操作部４３を操作することによってレジＲの識別情報（ここでは、レジＮｏ）を制御部５０に受け付けさせれば、そのレジＲの設定内容に応じた（ユーザが所望する）出金パターンで、レジＲ毎に、貨幣取引装置１から釣銭用貨幣を出金してもらうことができる。
次に、貨幣取引装置１における売上金の入金処理について説明する。図１２は、貨幣取引装置１において行われる入金処理の一例を示すフローチャートである。
【００７３】
図１２を参照して、売上金を入金したい担当者は、レジＲから抜き出した売上金と売上金の内容を印字したレシート（レジＲから発行される）とを持って事務所の貨幣取引装置１まで行き、操作部４３を操作して、入金処理を選択する。
制御部５０は、入金処理の選択があると（ステップＳ３１）、レジＮｏを入力するための画面（前述したレジＮｏ入力画面）を表示部４２に表示する（ステップＳ３２）。レジＮｏ入力画面の表示後に、担当者が操作部４３を操作して、自分が担当するレジＲのレジＮｏを入力する（ステップＳ３３）。
【００７４】
制御部５０は、レジＮｏが入力されたことに応じて、表示部４２において、レジＮｏ入力画面の代わりに、小計画面を表示する（ステップＳ３４）。小計画面が表示されると、担当者は、操作部４３を操作して、持参したレシートに記載された売上金の内容（伝票内容）を入力する（ステップＳ３５）。当該売上金の内容には、売上金における金種毎の内訳が記録されている。
【００７５】
担当者による伝票内容の入力が完了し、担当者が画面切替を指示すると、制御部５０は、表示部４２の画面を切り替えて（ステップＳ３６）、表示部４２に、明細画面を表示する（ステップＳ３７）。
明細画面が表示された後、担当者が、開放された入出金口３１や入金口３４（図２参照）に売上金（現金）を投入する（ステップＳ３８）。入出金口３１および入金口３４は、担当者の操作部４３の操作による指示入力に応じて閉鎖される。貨幣取引装置１は、投入された現金を計数する計数機構（図示せず）を有しており、先程投入された現金は、入出金口３１および入金口３４の閉鎖後に、計数機構によって計数される。
【００７６】
計数機構による計数後、制御部５０は、計数結果（入金された売上金の内訳（トータルの入金額や金種毎の貨幣の枚数）を含む項目画面を表示する（ステップＳ３９）。
そして、担当者がレジＲから回収してきた金券（商品券等）の枚数や金額といった必要項目を入力することによって（ステップＳ４０）、金券の情報を含んだ入金明細（入金総額の明細）が項目画面に表示される。ただし、金券類は貨幣取引装置１には入金できず、金庫等で別に管理される。
【００７７】
担当者による必要項目の入力後、担当者が（表示部４２の項目画面に表示された）最終的な入金内容（入金額や金種毎の入金枚数）を確認した上で、承認するか否か（承認せずに当該入金内容を修正するか）を、操作部４３の操作によって入力する（ステップＳ４１）。
承認する旨の入力があった場合には（ステップＳ４２でＹＥＳ）、担当者は、入金を完了させるために操作部４３を操作する。詳しくは、担当者は、操作部４３における完了ボタン（図示せず）を押下する（ステップＳ４３）。制御部５０は、この完了押下を受け付けて、最終的な入金内容に沿って売上金を入金収納する動作を開始する（ステップＳ４４）。これにより、貨幣取引装置１には、先程入出金口３１や入金口３４から入金された売上金が、当該入金内容に沿って、リサイクルカセット１０〜１２および１６〜２１において対応する金種のリサイクルカセットに振り分けられて収納される。
【００７８】
一方、最終的な入金内容について担当者による承認がなく、その内容を修正する旨の入力があった場合には（ステップＳ４２でＮＯ）、制御部５０は、表示部４２において画面を切り替えて（ステップＳ４５）で、小計画面を再表示し（ステップＳ３４）、ステップＳ３５以降の処理を繰り返す。
次に、リサイクルカセット１０〜１２や１６〜２１（図１参照）に収納された売上金を回収カセット８，１４（図１参照）に送り込んで回収する処理について説明する。この処理には、第１処理〜第３処理がある。これらの処理には、貨幣取引装置１が設置された事務所の管理人が立ち会うことが多い。
【００７９】
図１３は、貨幣取引装置１における売上金回収に係る第１処理（途中回収）を示すフローチャートである。
第１処理では、図１３を参照して、制御部５０が、リサイクルカセット１０〜１２や１６〜２１（つまり、リサイクル部７，１３）における貨幣の収納量が一定以上になったか否かを監視している（ステップＳ５１）。なお、制御部５０は、前述した計数機構（図示せず）による計数によって、リサイクル部７，１３における金種毎の貨幣の収納量を常に把握しており、釣銭用貨幣の出金や売上金の入金に応じて、当該収納量を更新して記憶している。
【００８０】
貨幣取引装置１の運用上、使用頻度の多い金種（たとえば、１００円硬貨や１０円硬貨）のリサイクルカセット１７，１９では、収納量が比較的早く増加しやすい。そこで、このような入金の多い金種については、リサイクルカセット１７，１９が満杯になって入金ができなくなる前に、自動的にリサイクルカセット１７，１９から回収カセット１４へ優先的に貨幣を移し変えておく必要がある。
【００８１】
リサイクル部７，１３におけるいずれかの金種の貨幣の収納量が一定以上になった場合には（ステップＳ５１でＹＥＳ）、制御部５０は、当該金種の貨幣を自動で収集して、対応する回収カセット８，１４に回収するか否かを判断する（ステップＳ５２）。たとえば、予め指定されたタイミングになった場合等に、制御部５０は、当該金種の貨幣を自動で収集して回収カセット８，１４に回収すると判断し（ステップＳ５２でＹＥＳ）、紙幣搬送部９や硬貨搬送部１５（図１参照）を駆動して、当該金種の貨幣を自動で回収カセット８や１４へ搬送する。その後、当該金種の貨幣は、回収カセット８や１４に収納される（ステップＳ５３）。これに応じて、制御部５０は、表示部４２に売上金回収画面を表示する（ステップＳ５４）。売上金回収画面には、当該金種の貨幣が回収カセット８や１４に回収済みであるということが示されている。
【００８２】
なお、収納量が一定以上になった貨幣を回収カセット８，１４に回収する場合、当該貨幣をリサイクル部７，１３から全て回収してしまってもよいが、ある程度の量は、回収せずに、釣銭用貨幣としてリサイクル部７，１３に残しておくとよい。
図１４は、貨幣取引装置１における売上金回収に係る第２処理を示すフローチャートである。
【００８３】
第２処理は、店舗の閉店時等に行われる。第２処理では、図１４を参照して、制御部５０が、入金データ（全てのレジＲから入金された売上金の総額）および出金データ（これまで各レジＲに対して出金された釣銭用貨幣の総額）より売上金を算出する（ステップＳ６１）。具体的に、入金データから出金データを差し引いた値が売上金となる。
次に、制御部５０は、算出した売上金が、最も高額の金種の貨幣（ここでは、１万円札）の何枚分に相当するのかを算出する（ステップＳ６２）。当該何枚という枚数を、最少（最小）構成枚数ということにする。ここでは、制御部５０は、算出した売上金に応じた最も高額の金種の貨幣の最少構成枚数を算出する（ステップＳ６２）。
【００８４】
次いで、制御部５０は、算出した最少構成枚数と、リサイクル部７または１３に収納されている同一金種の貨幣の枚数（「在高枚数」ということにする）とを比較し、最少構成枚数が在高枚数よりも多いか否かを判断する（ステップＳ６３）。
最少構成枚数が在高枚数よりも多い場合（ステップＳ６３でＹＥＳ）、制御部５０は、リサイクル部７または１３から回収カセット８や１４に回収する同一金種の貨幣の枚数（「回収指定枚数」ということにする）を在高枚数とする（ステップＳ６４）。
【００８５】
一方、最少構成枚数が在高枚数以下である場合（ステップＳ６３でＮＯ）、制御部５０は、回収指定枚数を最少構成枚数とする（ステップＳ６５）。
以上のように、最も高額の金種についての回収指定枚数が決まると、制御部５０は、先程算出した売上金から、回収指定枚数に当該金種の額を乗じて得た値（「指定金種データ」ということにする）を差し引き（減算し）、売上金を更新する（ステップＳ６６）。
【００８６】
そして、更新後（減算後）の売上金が１円以上であれば（ステップＳ６７でＹＥＳ）、制御部５０は、ステップＳ６２に戻り、先程最少構成枚数を算出したときの金種の次に高額な金種（ここでは、５千円札）について、減額後の売上金での最少構成枚数を算出する（ステップＳ６２）。もし、算出した最少構成枚数が０枚であれば、その次に高額な金種（ここでは、千円札）について、当該減額後の売上金での最少構成枚数を算出する（ステップＳ６２）。つまり、ステップＳ６２では、最少構成枚数が１枚以上と算出されるまで、金種を１つずつ低額にして、最少構成枚数の算出が行われる。
【００８７】
ステップＳ６２において最少構成枚数が１枚以上と算出されると、そのときの金種について、制御部５０は、ステップＳ６３〜Ｓ６６の処理を実行する。そして、１万円札から１円硬貨までの各金種について回収指定枚数が決定されて（回収指定枚数が０枚である場合も含む）、最終的に減額された後の売上金が１円未満（つまり、０円）になれば（ステップＳ６７でＮＯ）、制御部５０は、金種毎に決定した回収指定枚数を、売上金回収指定データとして表示部４２に表示する（ステップＳ６８）。
【００８８】
図１４での処理を、具体的に数値を挙げて説明する。
たとえば、売上金データが、２１万９８６７円であるとする。この場合、１万円札について算出された最少構成枚数は、２１枚である（ステップＳ６２）。これに対し、１万円札の在高枚数が２１枚以上あれば（ステップＳ６３でＮＯ）、１万円札についての回収指定枚数は、最少構成枚数と同じ２１枚であるが（ステップＳ６５）、在高枚数がたとえば２０枚であれば（ステップＳ６３でＮＯ）、１万円札についての回収指定枚数は、在高枚数と同じ２０枚となる（ステップＳ６４）。そして、ステップＳ６６において減算された後の売上金は、回収指定枚数が最少構成枚数と同じだった場合（ステップＳ６５の場合）には、９８６７円（＝２１万９８６７円−２１万円）であり、回収指定枚数が在高枚数と同じになった場合（ステップＳ６４の場合）には、１万９８６７円（＝２１万９８６７円−２０万円）である（ステップＳ６７でＹＥＳ）。
【００８９】
次に、１万円札の次に高額な金種である５千円について、減額後の売上金に基づいて、最少構成枚数が算出され、減額後の売上金が９８６７円である場合の最少構成枚数は１枚であり、減額後の売上金が１万９８６７円である場合の最少構成枚数は３枚となる。そして、１万円札の場合と同様に、５千円札について、算出された最少構成枚数と在高枚数との大小に応じて、回収指定枚数が決定され（ステップＳ６４、Ｓ６５）、同様の手順で、最終的に減額された後の売上金が０円になるまで（ステップＳ６７でＮＯ）、千円札、５００円硬貨…１円硬貨の各金種について、回収指定枚数が決定される。このように金種毎に決定された回収指定枚数の貨幣が、紙幣搬送部９や硬貨搬送部１５によってリサイクル部７や１３から回収カセット８や１４に回収される。
【００９０】
売上金を最少の貨幣枚数で構成できるときの金種毎の枚数が最少構成枚数であるが、ある金種について、最少構成枚数が在高枚数よりも多ければ、当該最少構成枚数分の貨幣をリサイクル部７または１３から払い出して回収することは物理的に不可能である。そこで、最少構成枚数が在高枚数よりも多い金種については、在高枚数分（リサイクル部７または１３に存在するだけの枚数）を払い出して回収することにしている。そして、最少構成枚数と在高枚数との差を、別の金種（低額の金種）の貨幣で補って払い出すようにしているのである。これにより、金種毎の回収指定枚数が在高枚数よりも多くなるといった非現実的な売上金回収が実行されようとすることで、違算や装置のダウンが生じることを防止できるとともに、処理時間の短縮化を促進できる。
【００９１】
なお、金種毎に決定された回収指定枚数は、在高枚数を超えない範囲において、担当者（ここでは、前述した管理人）による操作部４３の操作によって変更されてもよい。
図１５は、貨幣取引装置１における売上金回収に係る第３処理を示すフローチャートである。
第３処理は、店舗の閉店時等に行われる。第３処理では、図１５を参照して、第２処理において金種毎に回収指定枚数が決定された後、制御部５０が、紙幣搬送部９や硬貨搬送部１５を駆動させて、回収指定枚数の貨幣を金種毎に回収カセット８，１４へ搬送して回収する（ステップＳ７１）。
【００９２】
紙幣搬送部９および硬貨搬送部１５は、貨幣を搬送している最中に、搬送する貨幣を１枚ずつ数えたり、貨幣に損傷があるか否かを検出したりすることができる。搬送した紙幣に損傷がなく、回収指定枚数の貨幣を金種毎に回収カセット８，１４へ全て回収できた場合には（ステップＳ７２でＹＥＳ）、売上金回収は完了する（ステップＳ７３）。
しかし、搬送する貨幣の中に損傷した貨幣があった場合には、当該貨幣は、回収カセット８，１４でなく、前述したリジェクト部５（図１参照）に搬送される。この場合、当該貨幣と同一金種の貨幣に余裕がなければ、当該同一金種について回収指定枚数の貨幣の全てを回収カセット８や１４に回収できない。そこで、この場合には（ステップＳ７２でＮＯ）、制御部５０は、リジェクト部５に搬送された貨幣（ここでは、紙幣のみ）の総額を、他の金種の貨幣を何枚用いることで補えるか否かを計算（代替計算）する（ステップＳ７４）。ここで、当該他の金種として、損傷した貨幣の次に高額の金種が選ばれる。そして、代替計算結果に基づいて、補足分の貨幣をリサイクル部７や１３から払い出して回収カセット８，１４に回収する（ステップＳ７１）。
【００９３】
具体的には、１万円を２１枚回収する予定のところ、１枚の１万円に損傷があり、さらに、予備の１万円がリサイクル部７にない場合には、当該１枚の１万円を補充するように、２０枚の１万円札とともに２枚の５千円札または１０枚の千円札（２０枚の５００円硬貨等でも構わない）をリサイクル部７や１３から引き出して回収カセット８や１４に回収する。これにより、金種毎の回収指定枚数に沿ってはいないが、当初の回収指定枚数に相当する回収金額分の貨幣を一度に回収カセット８，１４に回収することができる。なお、損傷がある貨幣が発見された場合には、その旨が表示部４２に表示されてもよい。
【００９４】
この発明は、以上の実施形態の内容に限定されるものではなく、請求項記載の範囲内において種々の変更が可能である。
たとえば、前述した実施形態では、ばら硬貨と包装硬貨との関係について説明しているが、紙幣においても、ばらの紙幣と、所定枚数毎にまとめて包装された（帯封される場合も含む）紙幣とが存在するので、本願発明は、硬貨に限らず、貨幣全般（硬貨および紙幣の両方）に対しても適用可能である。
【００９５】
また、前述した実施形態では、貨幣取引装置１として、入金および出金の両方を行う売上金入出金機を開示しているが、単なる出金機（出金機能しかない装置）にも本願発明は適用可能である。
また、レジＮｏや出金予定明細や在高を担当者が手入力する際、操作部４３だけにアクセスされる場合もあれば、操作部４３およびカードリーダ４４（ＩＣカード等にレジＮｏ、出金予定明細および在高いずれかが記憶されている場合）の両方（操作部４３およびカードリーダ４４のまとまり）または一方にアクセスされる場合もある。つまり、操作部４３およびカードリーダ４４の単品またはこれらのまとまりにおいて、レジＮｏ、出金予定明細おび在高を受け付けることができる。
【００９６】
また、レジＮｏや出金予定明細や在高を担当者が手入力するのではなく、これらの情報をレシートにバーコード印字しておいて、出金処理時に貨幣取引装置１に読み取らせるようにすれば、当該情報の入力ミスがなく、入力操作が簡単になる。さらに、レシート（バーコード）を用いる以外に、ＩＣカードや携帯端末を用いて、これらの情報を通信によって貨幣取引装置１に取り込んでもよい。
【００９７】
また、前述した実施形態では、釣銭用貨幣の出金処理の際、担当者が操作部４３を操作して出金予定明細および在高を手入力することによって、貨幣取引装置１が出金予定明細および在高を取得するようになっている。しかし、貨幣取引装置１が各レジＲと通信可能であれば、担当者が最初にレジＮｏを入力すること（前述したステップＳ３）に応じて、当該レジＮｏのレジＲの出金予定明細および在高が当該レジＲから貨幣取引装置１に自動で入力（オンライン入力）されるようなっていても構わない。
【００９８】
また、レジＲが複数存在する場合において、各レジＲが、所定のグループ毎にグループ分けされている場合がある。グループとは、たとえば、店舗の各階のフロアや、同一フロア内の個々の売り場や、ショッピングモールにおける各店舗のことである。各レジＲは、いずれかのグループに属していて、各グループには、各グループを特定するグループ識別情報（たとえば、Ａグループ、Ｂグループ…における「Ａ」、「Ｂ」…）があって、前述したレジＮｏの一部にグループ識別情報が組み込まれているとする。たとえば、レジＮｏが「１Ａ」の場合、レジ１がＡグループに属していることを意味していて、当該レジＮｏは、グループを特定可能な情報である。この場合には、記憶部６（図１参照）において、レジＲが属するグループ識別情報に対応付けて、出金時に端数を切り捨てるか否か（端数切捨設定のありなし）を予め設定（記憶）しておく。そして、制御部５０は、出金処理時にレジＮｏを受け付けると、当該レジＮｏに含まれたグループ識別情報（換言すれば、当該レジＮｏから特定されるグループ識別情報）から、記憶部６において当該グループ識別情報に対応付けられた記憶内容（端数切捨設定のありなし）を参照する。そして、制御部５０は、この記憶内容に基づいて、包装硬貨とともに端数を出金するか否か（端数を切り捨てるか否か）を判断（判定）して、出金パターンを切り替え、当該出金パターンに沿って釣銭用貨幣を出金する。
【００９９】
このように、レジＮｏを制御部５０に受け付けさせれば、当該レジＮｏから特定されるグループ識別情報に対応付けて記憶部６に記憶された記憶内容（端数を切り捨てるか否か）に基づく制御部５０の判定結果に応じて、当該グループ用の出金パターンで、貨幣取引装置１から釣銭用貨幣を出金してもらうことができる。
また、担当者（貨幣取引装置１の操作者）を特定する識別情報（操作者識別情報）がある場合には、各担当者の識別情報に対応付けて、出金時に端数を切り捨てるか否か（端数切捨設定のありなし）を予め記憶部６に設定（記憶）しておいてもよい。この場合、前述したＩＤカードに識別情報が記憶されていて、出金処理時に担当者が自分のＩＤカードをカードリーダ４４（図２参照）に読み取らせると、制御部５０は、当該識別情報を受け付けることができる。制御部５０は、記憶部６において当該識別情報に対応付けられた記憶内容（端数切捨設定のありなし）を参照する。そして、制御部５０は、この記憶内容に基づいて、包装硬貨とともに端数を出金するか否か（端数を切り捨てるか否か）を判断（判定）して、出金パターンを切り替え、当該出金パターンに沿って釣銭用貨幣を出金する。
【０１００】
このように、（操作者）識別情報を制御部５０に受け付けさせれば、当該識別情報に対応付けて記憶部６に記憶された記憶内容（端数を切り捨てるか否か）に基づく制御部５０の判定結果に応じて、当該操作者用の出金パターンで、貨幣取引装置１から釣銭用貨幣を出金してもらうことができる。
また、端数切捨設定は、金種毎に定められていて記憶部６に記憶されていてもよい。たとえば、使用頻度が高い金種（たとえば、１０円硬貨）については、端数切捨設定ありとして、使用頻度が低い金種（たとえば、５０円硬貨）については、端数切捨設定なしする。このような金種毎の端数切捨設定（端数切捨設定のありなしの切り替え）は、ユーザが操作部４３を操作することに応じて、制御部５０が実行し、記憶部６に登録する。そして、同一のレジＮｏのレジＲ用に釣銭用貨幣を出金する場合でも、制御部５０は、出金するように指定された金種（ユーザからの出金指示を受け付けた金種）に基づいて、前述した出金パターン［ａ］〜［ｃ］のいずれかに応じた出金を金種毎に異ならせて実行してもよい。そうすれば、金種毎に、ユーザが所望する出金パターンで、貨幣取引装置１から釣銭用貨幣を出金してもらうことができる。
【符号の説明】
【０１０１】
１      貨幣取引装置
６      記憶部
７      リサイクル部
１３    リサイクル部
２２    出金部
４３    操作部
４４    カードリーダ
５０    制御部
６１    入出金機構
６２    入出金機構
６３    出金機構
１００  収納庫
Ｒ      レジスター（レジ）
【図１】
0005879147.tif 000002
【図２】
0005879147.tif 000003
【図３】
0005879147.tif 000004
【図４】
0005879147.tif 000005
【図５】
0005879147.tif 000006
【図６】
0005879147.tif 000007
【図７】
0005879147.tif 000008
【図８】
0005879147.tif 000009
【図９】
0005879147.tif 000010
【図１０】
0005879147.tif 000011
【図１１】
0005879147.tif 000012
【図１２】
0005879147.tif 000013
【図１３】
0005879147.tif 000014
【図１４】
0005879147.tif 000015
【図１５】
0005879147.tif 000016